(57)【要約】【課題】  歯治療時の切削治療などで生じる貴金属の回収を可能とし且つ浄化装置や下水処理施設などの処理負担を軽減する環境に優しい歯治療汚物処理システムおよびヘドロ溜め層値を提供することを目的としている。【解決手段】分離器７の後側にヘドロを溜めヘドロを含まない汚水を排出するヘドロ溜め装置１３を設け、貴金属を含んだヘドロを回収することができるようにした。回収したヘドロからは金などの貴金属を抽出する。【選択図】図１
2006015057.tif 000002
【特許請求の範囲】
【請求項１】
口腔内の歯治療時発生汚物を吸い込む口腔内吸引端末装置と、この口腔内吸引端末装置で吸い込んだ前記歯治療時発生汚物を浄化装置や下水などへ送り出す排出部とからなる歯治療発生汚物処理システムに取付けるヘドロ溜め装置であって、
前記歯治療発生汚物処理システムの取付け部位にセットされるヘドロを溜める容器本体と、この容器本体の上部側に設けられた前記歯治療時発生汚物を該容器本体内に導入する導入口と、前記容器本体に設けられた収納される汚物のうちのヘドロを除いた汚水を排出する排出口とからなり、
前記容器本体にヘドロを溜め収納した状態のまま前記歯治療発生汚物処理システムの取付け部位から外し回収することができるようにしてなることを特徴とするヘドロ溜め装置。
【請求項２】
口腔内の歯治療時発生汚物を吸い込む口腔内吸引端末装置と、
この口腔内吸引端末装置で吸い込んだ前記歯治療時発生汚物を浄化装置や下水などへ送り出す排出部と、
この排出部の適宜な部位に設けられた前記歯治療時発生汚物の内のプラチナ、金、銀、パラヂウム、チタンなどの貴金属を含むヘドロを回収可能に溜めるヘドロ溜め装置とからなることを特徴とする歯治療汚物処理システム。
【請求項３】
排出部に歯治療時発生汚物の気体と汚泥を分離する分離装置を設け、この分離装置の排出側にヘドロ溜め装置を設けてなることを特徴とする請求項２記載の歯治療汚物処理システム。
【請求項４】
ヘドロ回収装置に回収容器体が設けられ、ヘドロが溜まった前記回収容器体をヘドロを収納した状態で装置から外し回収するようにしてなることを特徴とする請求項２、３いずれか記載の歯治療汚物処理システム。
【発明の詳細な説明】
【技術分野】
【０００１】
本発明は、歯治療時に生じる切削物、歯牙片、唾液、血液、肉片、薬剤、洗浄水などからなる口腔内の歯治療時の汚物を吸い出して廃棄処理する歯治療汚物処理システムおよびヘドロ溜め装置に関する。
【背景技術】
【０００２】
従来の歯治療汚物処理システムは、口腔内の歯治療時発生汚物を吸い込む口腔内吸引端末装置と、この口腔内吸引端末装置で吸い込んだ汚物を集約し浄化装置や下水に排出する排出部とから構成されている。
【特許文献１】特開平１０−１７４６９２
【発明の開示】
【発明が解決しようとする課題】
【０００３】
上述した従来技術においては、歯の捕填物であるプラチナ、金、銀、パラヂウム、チタンなどの高価で貴重な貴金属が治療時に削られ汚物として廃棄されており、貴重な資源を捨て去っているという問題を持つものであった。
また、汚泥をそのまま排出するためにそれを浄化する浄化装置（浄化槽を含む。）や下水処理施設の処理負担を大きくしているという問題を持つものであった。
【０００４】
本発明は以上のような従来技術の問題点に鑑みてなされたものであって、歯治療時の切削治療などで生じる貴金属の回収を可能とし且つ浄化装置や下水処理施設などの処理負担を軽減する環境に優しい歯治療汚物処理システムおよびヘドロ溜め装置を提供することを目的としている。
【課題を解決するための手段】
【０００５】
上記目的を達成するために本発明は次に述べるような構成となっている。
＜請求項１記載の発明の構成＞
口腔内の歯治療時発生汚物を吸い込む口腔内吸引端末装置と、この口腔内吸引端末装置で吸い込んだ前記歯治療時発生汚物を浄化装置や下水などへ送り出す排出部とからなる歯治療発生汚物処理システムに取付けるヘドロ溜め装置であって、前記歯治療発生汚物処理システムの取付け部位にセットされるヘドロを溜める容器本体と、この容器本体の上部側に設けられた前記歯治療時発生汚物を該容器本体内に導入する導入口と、前記容器本体に設けられた収納された汚物のうちのヘドロを除いた汚水を排出する排出口とで構成され、且つ、前記容器本体にヘドロを溜め収納した状態のまま前記歯治療発生汚物処理システムの取付け部位から外し回収することができるようにしてなるヘドロ溜め装置を構成している。
＜請求項２記載の発明の構成＞
口腔内の歯治療時発生汚物を吸い込む口腔内吸引端末装置と、この口腔内吸引端末装置で吸い込んだ前記歯治療時発生汚物を浄化装置や下水などへ送り出す排出部と、この排出部の適宜な部位に設けられた前記歯治療時発生汚物の内のプラチナ、金、銀、パラヂウム、チタンなどの貴金属を含むヘドロを回収可能に溜めるヘドロ溜め装置とで歯治療汚物処理システムを構成している。
既存の歯治療汚物処理システムの適宜な部位にヘドロ溜め装置を設けてヘドロを回収可能とした歯治療汚物処理システムも当然本発明の技術的範疇に含まれるものであることは言うまでもない。
＜請求項３記載の発明の構成＞
前記請求項２記載の発明の構成において、排出部に歯治療時発生汚物の気体と汚泥を分離する分離装置を設け、この分離装置の排出側にヘドロ溜め装置を設けてなる歯治療汚物処理システムを構成している。
＜請求項４記載の発明の構成＞
前記請求項２、３いずれか記載の発明の構成に、ヘドロ回収装置に回収容器体が設けられ、ヘドロが溜まった前記回収容器体をヘドロを収納した状態で装置から外し回収するようにしてなる歯治療汚物処理システムを構成している。
【発明の効果】
【０００６】
本発明は以上のような構成となっているので、次に列挙する効果が得られる。
＜請求項１と請求項２記載の発明の効果＞
排出部の適宜な部位に歯治療時発生汚物の内のプラチナ、金、、銀、パラヂウム、チタンなどの貴金属を含むヘドロを回収可能に溜めるヘドロ溜め装置を設けたので、ヘドロを回収して処理することによりプラチナ、金、銀、パラヂウム、チタンなどの貴重で高価な貴重金属を抽出することができるとともに、ヘドロを浄化槽や下水に流さない、流したとしてもヘドロを含まないあるいは少ない汚水のみを浄化槽や下水に流すものであるので、浄化層や下水処理施設などの処理負担を軽減し環境に優しいシステムを実現するという効果を得ることができる。
＜請求項３記載の発明の効果＞
前記請求項２記載の発明と同様な効果を得ることができるとともに、分離装置の後側である吸引負圧の影響を受けないところにヘドロ回収装置を設けたので、歯治療汚物処理システムの吸引動作に影響を与えないという効果を得ることができる。
＜請求項４記載の発明の効果＞
前記請求項１記載の発明と同様な効果を得ることができる。
【発明を実施するための最良の形態】
【０００７】
以下、図面に示す発明を実施するための最良の形態を説明する。但し、単なる実施例であって本発明はそれらに限定されるものではない。
【０００８】
図１および図２に示す本発明を実施するための最良の第１の実施の形態において１は歯治療汚物処理システムであって、この歯治療汚物処理システム１は口腔内の歯治療時発生汚物を吸い込む口腔内吸引端末装置２ａ、２ｂ、２ｃと、この口腔内吸引端末装置２ａ、２ｂ、２ｃで吸い込んだ歯治療時発生汚物を浄化槽３（浄化装置含む）や下水４などへ送り出すための、端末管５、集約管６、吸引した歯治療時発生汚物を吸引気体と液体＋固体に分離する分離器７、分離器７の間にフィルター８を設けて連結された吸引モータ９とからなる排出部１０と、この排出部１０の分離器７の後に設けられた各分離器から汚泥導入管を通してい排出される汚泥１７を溜め歯治療時発生汚物の内のプラチナ、金、銀、パラヂウム、チタンなどの貴金属を含むヘドロ１１を沈殿させて回収可能に溜め、ヘドロ１１を含まないあるいは少なくした汚水１８を汚水排出管１６から浄化槽３に排出するヘドロ溜め装置１３とからなっている。
回収されたヘドロは貴重金属処理施設に送られ、プラチナ、金、銀、パラヂウム、チタンなどを抽出する。
１４ａ、１４ｂ、１４ｃは口腔内吸引端末装置２ａ、２ｂ、２ｃを吸引モードにすると開く開閉弁である。
歯科診療中は吸引モータ９分離器７、集約管６、端末管５までは常に吸引モータ９の吸引運転により常に負圧状態とされている。
１５は汚泥導入管、１６は汚水排出管である。
ヘドロ溜め装置で汚泥を全て回収することも可能であり、この場合は廃棄物を全く浄化槽や下水に廃棄しない、極めてクリーンな歯治療汚物処理システムを実現することができる。この場合は、汚泥はヘドロの範疇に入るものである。
【０００９】
図２において、ヘドロ溜め装置１３は上部に開口部２０を有する容器本体２１と、開口部２０を塞ぐ蓋２２と、容器本体２１の側壁の上部側に設けられた汚泥導入管１５と連絡した汚泥導入口２３と、この汚泥導入口２３の対抗側の容器本体２１の底部に設けられた汚水排出管１６に連絡した汚水排出口２４と、容器本体２１内に上流から下流に並べ設けられたヘドロ溜め部２５、２６、２７を形成する、水出し穴３１を適宜に設けた第１、第２、第３仕切り壁２８、２９、３０とからなっている。
ヘドロ１１の回収は、ヘドロ溜め装置１３そのものを回収し新しいヘドロ溜め装置と交換する。
また、容器本体２１をそっくり収納する外容器を設け、容器本体２１に吊金具や取っ手を設けて、容器本体２１から外容器本体から取り出す構成もよいものである。
また、ヘドロ溜め部２５、２６、２７の夫々に回収ボックスを設けて、この回収ボックスにヘドロを溜め各回収ボックスをそれぞれ回収するのもよい。
また、仕切り壁を設けず１個〜複数個の回収ボックスを設けてなるものもよい。
水出し穴３１を設けない構成もよいものである。
以下に述べる実施の形態の説明において、前述した実施の形態で説明した構成と同じ構成には同一符号を付してその説明を省略する。
【００１０】
図３に示す本発明を実施するための最良の第２の実施の形態においてヘドロ溜め装置３４は、容器本体２１と、この容器本体２１の蓋２２の中央に設けられた汚泥導入管１５に連絡された汚泥導入口２３と、容器本体２１の底部縁方に設けられた汚水排出管１６に連絡された汚水排出口２４と、容器本体２１内の汚泥導入口２３の真下に設けられた円筒形態の第１ヘドロ溜め部３５と、この第１ヘドロ溜め部３５を囲うように設置された該３５から溢れた汚泥を受けヘドロ１１を溜める第２ヘドロ溜め部３６とからなっている。
【００１１】
図４に示す本発明を実施するための最良の第３の実施の形態においてヘドロ溜め装置３８は、
容器本体２１と、この容器本体２１の蓋２２の中央に設けられた汚泥導入管１５に連絡された汚泥導入口２３と、容器本体２１の底部中央に設けられた汚水排出管１６に連絡された汚水排出口２４と、蓋２２に吊り下げられた汚泥導入口２３からの汚泥１７を受けヘドロ１１を溜めるメッシュ容器かなる第１ヘドロ溜め部３９と、この第１ヘドロ溜め部３９を収め囲うように設けられた該３９よりも微細メッシュ容器からなる第２ヘドロ溜め部４０とからなっている。
蓋２２を持ち上げたり吊り上げることにより第１ヘドロ溜め部３９および第２ヘドロ溜め部４０ごとヘドロ１１を回収する。
このように、汚水を漉し流して得た固体もヘドロの範疇に入るものである。
【００１２】
図５および図６に示す本発明を実施するための最良の第４の実施の形態において７５はヘドロ溜め装置であって、このヘドロ溜め装置７５は汚泥導入管１５と該１５の対抗側のやや低い位置に汚水排出管１６を有する枠体７６に収納される容器体本体２１と、該２１の側壁上部に設けられた汚泥導入管１５と合わさって汚泥を導入する汚泥導入口２３と、やや低い位置に設けた汚水排出管１６に合わさって汚水を排出する汚水排出口２４と、容器体本体２１の側壁に設けられた該２１内に適宜な間隔で浮かせ形態で設けられた仕切り板７７、７８、７９と、容器本体２１の上部内側に設けられた回収時セット時に作業者が手で握るための取っ手８０、８０とからなっている。
ヘドロ１１を最大量収納した状態で１人で持ち上げる場合は１５ｋｇ〜５０ｋｇ程度の重量が、ヘドロが最大収納状態で二人程度の作業者により交換回収が可能な略４０ｋｇ〜１００ｋｇ程度の重量となるものが適当である。
枠体７６は地中に設ける場合もあれば地上に設ける場合もあることはいうまでもない。既設システムに取付ける場合は多くは地上設置となる。
地上設置の場合枠体７６の側壁を４側壁とする必要はなく下流側と上流側の２側壁とするのが、ヘドロ溜め装置７５の出し入れが横からの出し入れとなり回収交換作業が容易となり、枠体そのものも安価にできる。
【００１３】
図７および図８に示す本発明を実施するための最良の第５の実施の形態において８２はヘドロ溜め装置であって、このヘドロ溜め装置８２は密封された容器本体８３と、この容器本体８３の上部に設けられ汚泥導入管１５と連結される汚泥導入口８４と、該８４の対抗側のやや低い位置に設けられた汚水排出管１６に連結される汚水を排出する排出口８５と、汚泥導入口８４の根元側に設けられたバルブ８６と、排出口８５の根元側に設けられたバルブ８７と、汚泥導入口８４に設けられたら該８４の内側に螺刻された内ネジに螺合されてなる、廻して出入させる延長口８８と、排出口８５に設けられたら該８５の内側に螺刻された内ネジに螺合されてなる、廻して出入させる延長口８９と、上部に設けられた取っ手９０とからなっている。
図１２においてセットは、内側に突出したパッキン９１、９２をセットした汚泥導入管１５と汚水排出管１６を有する枠体７６にヘドロ溜め装置８２を降ろし収納する。
バルブ８７、８８を開き状態にして延長口８７を廻し出して汚泥導入管１５に被せ進めてパッキン９１に押し当てる。
延長口８９を廻し出して汚水排水管１６に被せ進めてパッキン９２に押し当てる。
回収は、バルブ８７、８８を閉め、延長口８７と延長口８９を引き廻しして汚泥導入管１５、汚水排水管１６から外し、取っ手９０に手を掛け引き上げる。
完全密封状態で回収し搬送ができるので、作業を素早く衛生的に行うことができる。
【００１４】
図９に示す本発明を実施するための最良の第６の施の形態において９４はヘドロ溜め装置であって、ヘドロ溜め装置９４は前記ヘドロ溜め装置８２の延長口８８、８９に変えて、ホース連結金具を連結する連結金具９５、９６を設けたものである。
フレキシブル管からなる汚泥導入管９７は先端に連結金具９５に連結する連結金具９８を有し、フレキシブル管からなる汚水排水管９９は先端に連結金具９６の連結する連結金具１００を有している。
【００１５】
図１０に示す本発明を実施するための最良の第７の施の形態において１０３はヘドロ溜め装置であって、このヘドロ溜め装置１０３は容器本体１０４と、この容器本体１０４の上部開口からなるヘドロ導入口１０５と、容器本体１０４の側部上方に設けられたバルブ１０６を根元に設け下向き下がり形態の汚水排出口１０７とからなっている。
ヘドロ導入口１０５には汚泥導入管１５を真上にして直接汚泥を落とすか図のように着脱可能な補助管１０８を該１５に取付けるなどして行う。
汚水排出口１０７は上向き立ち上がり口形態の汚水排水管１６に容器本体１０４を置き設置するときに入れる。
ヘドロ導入口１０５の外周部か内周部にネジを設け、ネジ付き蓋をして密封するようにするのもよい。
ヘドロ導入管をフレキシブルホースにして吊り手段を設けるなどして、ヘドロ溜め装置１０３の撤去時には該フレキシブルホースの口を吊り手段で吊り上向かせておいて作業するなどがよい。
【００１６】
図１１に示す本発明を実施するための最良の第８の実施の形態において１１０はヘドロ溜め装置であって、このヘドロ溜め装置１１０は前記ヘドロ溜め装置７５の構成部位である汚泥導入口２３とやや低い位置に設けた汚水排出口２４の構成を、容器本体２１側に内ネジ（図示せず省略）を螺刻してあり、この内ネジに螺合する外ネジ（図示せず省略）を螺刻した筒形態の押し当て口体１１１を設けた構成としたものである。
押し当て口体１１１の端部にはゴム製のパッキン１１２が取り付けられ、内側を押し込みキャップ１１３で塞ぐことができるようになっている。
汚泥導入管１５にはバルブ１１５が設けられていて、ヘドロ溜め装置１１０の交換作業時にはバルブ１１５を閉めて汚泥の流出を止めて作業を行なう。
枠体７６の所定の部位にセットしたら、押し当て口体１１１、１１１を回しパッキン１１２を汚泥導入口２３と汚水排出口２４の口元に押し当て、バルブ１１５を開く。撤去はバルブ１１５を閉じ押し当て口体１１１，１１１を回し離して、引き撤去する。
枠体７６は側壁が上流側と下流側にのみ設けられて、両横の側壁は設けていない構成であり、台車１１４に載せたままヘドロ溜め装置１１０をセットする。
ヘドロ溜め装置１１０の上部開口は蓋１１６で塞ぐことができる。
このような構成となると、汚泥導入口２３と汚水排出口２４の支持は単なる支柱形態のものでも良く、アンカーで止める、根元をに地中に埋設して立てるなどでより安価にできる。
【産業上の利用可能性】
【００１７】
本発明は歯治療時発生汚物廃棄システム産業、貴金属回収産業で利用される。
【図面の簡単な説明】
【００１８】
【図１】本発明の第１の実施の形態を示すブロック図。
【図２】本発明の第１の実施の形態のヘドロ溜め装置の断面図および斜視図。
【図３】本発明の第２の実施の形態のヘドロ溜め装置の断面図および斜視図。
【図４】本発明の第３実施の形態のヘドロ溜め装置の断面図および斜視図。
【図５】本発明の第４の実施の形態をのヘドロ溜め装置の断面図。
【図６】本発明の第４の実施の形態のヘドロ溜め装置の平面図。
【図７】本発明の第５の実施の形態のヘドロ溜め装置の正面図。
【図８】本発明の第５の実施の形態のヘドロ溜め装置のセット状態図。
【図９】本発明の第６の実施の形態のヘドロ溜め装置の正面図。
【図１０】本発明の第７の実施の形態のヘドロ溜め装置の断面図。
【図１１】本発明の第８の実施の携帯のヘドロ溜め装置の断面図。
【符号の説明】
【００１９】
１：歯治療汚物処理システム、
２ａ、２ｂ、２ｃ：口腔内吸引端末装置、
３：浄化槽、
４：下水、
５：端末管、
６：集約管、
７：分離器、
８：フィルター、
９：吸引モータ、
１０：排出部、
１１：ヘドロ、
１３：ヘドロ溜め装置、
１４ａ、１４ｂ、１４ｃ：開閉弁、
１５：汚泥導入管、
１６：汚水排出管、
１７：汚泥、
１８：汚水、
２０：開口部、
２１：容器本体、
２２：蓋、
２３：汚泥導入口、
２４：汚水排出口、
２５：ヘドロ溜め部、
２６：ヘドロ溜め部、
２７：ヘドロ溜め部、
２８：第１仕切り壁、
２９：第２仕切り壁、
３０：第３仕切り壁、
３１：水出し穴、
３４：ヘドロ溜め装置、
３５：第１ヘドロ溜め部、
３６：第２ヘドロ溜め部、
３８：ヘドロ溜め装置、
３９：第１ヘドロ溜め部、
４０：第２ヘドロ溜め部、
７５：ヘドロ溜め装置、
７６：枠体、
７７：仕切り板、
７８：仕切り板、
７９：仕切り板、
８０：取っ手、
８２：ヘドロ溜め装置、
８３：容器本体、
８４：汚泥導入口、
８５：排出口、
８６：バルブ、
８７：バルブ、
８８：延長口、
８９：延長口、
９０：取っ手、
９１：パッキン、
９２：パッキン、
９４：ヘドロ溜め装置、
９５：連結金具、
９６：連結金具、
９７：汚泥導入管、
９８：連結金具、
９９：汚水排水管、
１００：連結金具、
１０３：ヘドロ溜め装置、
１０４：容器本体、
１０５：ヘドロ導入口、
１０６：バルブ、
１０７：汚水排出口、
１１０：ヘドロ溜め装置、
１１１：押し当て口体、
１１２：パッキン、
１１３：１１３、
１１４：台車、
１１５：バルブ、
１１６：蓋。
【図１】
2006015057.tif 000003
【図２】
2006015057.tif 000004
【図３】
2006015057.tif 000005
【図４】
2006015057.tif 000006
【図５】
2006015057.tif 000007
【図６】
2006015057.tif 000008
【図７】
2006015057.tif 000009
【図８】
2006015057.tif 000010
【図９】
2006015057.tif 000011
【図１０】
2006015057.tif 000012
【図１１】
2006015057.tif 000013